(57)【要約】  【課題】  ケーブルを使用せずに本機と接続することが可能で、光信号が他の機器に届くように適切な位置に容易に設定できるＡＶマウスを提供する。  【解決手段】  ＡＶマウス１のプラグ５を本機のジャックに接続すると、本機とＡＶマウス１が電気的に接続され、本機はＡＶマウス１からの光信号により他の機器を制御することが可能になる。プラグ５はマウスケース２に一体化され、マウスケース２は本機に対して回動自在になっているので、ＡＶマウス１のＬＥＤ３からの光信号が他の機器の受光部に届くように、マウスケース２を回動させて光信号の向きを調整することができる。更に、マウスケース２は反射面４を有するので、光信号の一部を反射させて、他の機器の受光部に光信号が届き易くしている。【選択図】      図１
2005260563.tif 000002
【特許請求の範囲】
【請求項１】
マウスケースの所定面に設けられ光信号を出射する発光素子を有し、本機と連動して他
の機器を制御できるように他の機器のリモコンコードに合わせた光信号を他の機器の受光
部に送信するＡＶマウスにおいて、前記本機のジャックと電気的に接続され前記本機に対
して回動自在なプラグを前記マウスケースと一体化すると共に、前記発光素子から出射さ
れた光信号の一部を所定角度反射させる反射面を有するような形状に前記マウスケースを
形成したことを特徴とするＡＶマウス。
【請求項２】
マウスケースの所定面に設けられ光信号を出射する発光素子を有し、本機と連動して他
の機器を制御できるように他の機器のリモコンコードに合わせた光信号を他の機器の受光
部に送信するＡＶマウスにおいて、前記本機のジャックと電気的に接続され前記本機に対
して回動自在なプラグを前記マウスケースと一体化すると共に、前記発光素子から出射さ
れた光信号の一部を所望角度反射させることができる可変反射面を有する反射部を、前記
マウスケースに対して所定角度回動自在になるように前記マウスケースに取り付けたこと
を特徴とするＡＶマウス。
【請求項３】
マウスケースの所定面に設けられ光信号を出射する発光素子を有し、本機と連動して他
の機器を制御できるように他の機器のリモコンコードに合わせた光信号を他の機器の受光
部に送信するＡＶマウスにおいて、前記本機のジャックと電気的に接続され前記本機に対
して回動自在なプラグを前記マウスケースと一体化したことを特徴とするＡＶマウス。
【請求項４】
前記発光素子から出射された光信号の一部を所定角度反射させる反射面を有するような
形状に前記マウスケースを形成したことを特徴とする請求項３に記載のＡＶマウス。
【請求項５】
前記発光素子から出射された光信号の一部を所望角度反射させることができる可変反射
面を有する反射部を、前記マウスケースに対して所定角度回動自在になるように前記マウ
スケースに取り付けたことを特徴とする請求項３に記載のＡＶマウス。
【発明の詳細な説明】
【技術分野】
【０００１】
本発明は、例えば、テレビ受信機に接続された録画機器に対して放送番組を予約録画す
る場合などに用いられるＡＶマウスに関する。
【背景技術】
【０００２】
最近、電子番組ガイド（ＥＰＧ）対応のテレビ受信機、デジタルテレビ用チューナ、テ
レビサーバなどが市場に出回っている。また、電子番組ガイドのデータを元に録画予約が
できるビデオデッキなども市場に出回っている。ところで、録画機器のタイマ機能を使わ
ないで、ｉリンクやＡＶマウスを使って録画機器を駆動し、テレビ番組などを録画機器に
録画させる手法があり、この手法によりテレビ受信機などの本機と録画機器との間の操作
を簡単にしている。
【０００３】
電子番組ガイドとは、電子番組表であり、テレビ画面に番組表を表示するシステムのこ
とを言う。このシステムは、検索機能や録画機器との連動機能などを備え、多チャンネル
環境下における番組やチャンネルの選択の必須機能を有している。番組の検索やブックマ
ークをするように、お気に入り番組の登録ができる他、番組表を見ながらリモコンでカー
ソルを合わせて録画できる機能が可能である。
【０００４】
ＡＶマウスは、例えば、テレビ受信機やＤＶＤ（デジタル・バーサタイル・ディスク）
レコーダなどと連動して他のＤＶＤレコーダやＶＴＲ（ビデオ・テープ・レコーダ）など
の録画機器でタイマ録画できるように、録画機器のリモコンコードに合わせた信号を録画
機器の受光部に送信するものである。
【０００５】
図４は従来のＡＶマウスの概略的な構成を示す斜視図である。図４において、ＡＶマウ
ス４０は、図示しない回路を収納したマウスケース４１と、このマウスケース４１の下面
に設けられ赤外線の光信号を出射する発光素子としてのＬＥＤ４２と、ケーブル４３を介
して接続された接続端子としてのプラグ４４とを備えている。
【０００６】
図５は従来のＡＶマウスを使用する場合の本機としてのＤＶＤレコーダと他の機器とし
てのＶＴＲとが２段重ねに置かれた状態を示す概略的斜視図である。図５において、５１
は本機としてのＤＶＤレコーダを示し、この前面にはＡＶマウス４０のプラグ４４を差し
込みＤＶＤレコーダ５１と電気的に接続するためのジャック５２が設けられている。５３
は他の機器としてのＶＴＲを示し、この前面にはＡＶマウス４０や図示しないリモコンか
らの光信号を受光する受光部５４が設けられている。
【０００７】
このようにＶＴＲ５３の上にＤＶＤレコーダ５１を重ね、ＤＶＤレコーダ５１側からＶ
ＴＲ５３を制御する場合、ＡＶマウス４０は、このプラグ４４をＶＴＲ５３のジャック５
２に差し込み、ＶＴＲ５３のリモコンコードに合わせた光信号を出射するようにリモコン
コードを設定し、ＡＶマウス４０のＬＥＤ４２から出射された光信号がＶＴＲ５３の受光
部５４に届くように、ＡＶマウス４０のマウスケース４１をＶＴＲ５３に両面テープなど
で固定する。
【０００８】
次に前記リモコンコードの設定手順の一例を説明すると、先ず、図示しないリモコンの
メニューボタンを押し、テレビ受信機の表示装置に表示されたメニュー画面上のセットア
ップを選んで決定する。次に、メニュー画面上の予約設定を選んで決定し、更に、ＡＶマ
ウス設定を選んで決定する。これにより、メニュー画面にはメーカー名が表示されるので
、この中から当該ＶＴＲ５３のメーカー名を選んで決定し、次に録画機器の種類のメニュ
ー画面が表示され、この中からＶＴＲを選んで決定する。これにより、リモコンコードの
メニュー画面が表示され、この中から当該ＶＴＲ５３のメーカー名およびＶＴＲに対応す
るリモコンコードを選択して決定する。以上でＡＶマウス４０におけるリモコンコードの
設定が完了したことになる。
【特許文献１】特開平８−２６５３９９号公報
【特許文献２】特開平６−２８４０９１号公報
【特許文献３】特開２０００−１３３１８号公報
【特許文献４】特開平１０−２４０３９９号公報
【特許文献５】特開２００４−７６６０号公報
【発明の開示】
【発明が解決しようとする課題】
【０００９】
上述したように、従来のＡＶマウス４０は、ＬＥＤ４２から出射された光信号がＶＴＲ
５３の受光部５４に届くように、マウスケース４１を適切な位置に配置するが、その位置
を決めるのに手間がかかり、また、その位置にマウスケース４１を固定するのに両面テー
プなどでＶＴＲ５３に固定するので、見た目が悪く、また、ＡＶマウス４０は、ケーブル
４３を介してＤＶＤレコーダ５１と接続されるので、ケーブル自体が煩わしい等の課題が
あった。
【００１０】
なお、特許文献１の従来技術は、ワイア電話コネクションに接続された遠隔デバイスに
信号を伝送するためのワイアレス電話ジャックに関するものであり、例えば、テレビ受信
機に録画機器を接続して、放送番組を予約録画する場合に用いられるＡＶマウスに関する
ものではない。
【００１１】
特許文献２の従来技術は、コンピュータとその周辺装置との間で通信を行うもので、コ
ンピュータのインターフェース部にコードを介して接続された光ユニット部により周辺装
置と光通信でデータを通信するようになっているが、この従来技術はＡＶマウスに関する
ものではない。また、ＡＶマウスに関するものではないとしても、光ユニットはコードを
有すると共に、光ユニットからの光信号が周辺装置の受光部に届くように、光ユニットを
配置しなければならない。
【００１２】
特許文献３の従来技術は、光通信機能付電子機器において光通信ポートを機器本体の凹
部に対して収納・引き出し自在に設け、使用者の希望する場所・状態で光通信を行うこと
を可能にしているが、この従来技術はＡＶマウスに関するものではない。また、ＡＶマウ
スに関するものではないとしても、例えば、ノートブックパソコンと外部装置間で通信を
行う際に、Ｉｒポートをパソコン本体から出し入れして適切な位置に設定し、外部装置と
の間で通信を行うようにしているが、Ｉｒポートの位置を決めるのが煩わしい。
【００１３】
特許文献４の従来技術は、パソコンからのデータをディスプレイ装置に伝送する際に、
ディスプレイ装置本体に着脱可能なタイマ付きワイヤレスリモコンを設定し、パソコンか
らのデータをタイマ付きワイヤレスリモコンを介してディスプレイ装置に送信するように
しているが、この従来技術はＡＶマウスに関するものではない。また、ＡＶマウスに関す
るものではないとしても、タイマ付きワイヤレスリモコンがディスプレイ装置に対して設
定される位置・方向は一定であるので、パソコンとディスプレイ装置間の配置状態が制約
される。
【００１４】
特許文献５の従来技術は、パーソナルコンピュータからのコマンドに基づいて赤外線信
号を発生するインターフェースボックスを備え、このインターフェースボックスは、オー
ディオビジュアルシステムを構成するＶＴＲ、ＦＭチューナ、ＭＤプレーヤなどの機器と
対向配置され、インターフェースボックスからの赤外線信号により各機器の動作が設定さ
れるようになっているが、この従来技術はＡＶマウスに関するものではない。また、ＡＶ
マウスに関するものではないとしても、インターフェースボックスはケーブルを介してパ
ーソナルコンピュータと接続されており、操作時にはインターフェースボックスは適切な
位置を探さなければならない。
【００１５】
本発明は、上記のような課題を解決するためになされたもので、ケーブルを使用せずに
本機と接続することが可能で、光信号が他の機器に届くように適切な位置に容易に設定で
きるＡＶマウスを提供することを目的とする。
【課題を解決するための手段】
【００１６】
上記目的を達成するために、請求項１の発明は、マウスケースの所定面に設けられ光信
号を出射する発光素子を有し、本機と連動して他の機器を制御できるように他の機器のリ
モコンコードに合わせた光信号を他の機器の受光部に送信するＡＶマウスにおいて、前記
本機のジャックと電気的に接続され前記本機に対して回動自在なプラグを前記マウスケー
スと一体化すると共に、前記発光素子から出射された光信号の一部を所定角度反射させる
反射面を有するような形状に前記マウスケースを形成したことを特徴とするＡＶマウスを
提供する。
【００１７】
この構成において、ＡＶマウスのプラグを本機のジャックに接続すると、本機とＡＶマ
ウスが電気的に接続され、本機はＡＶマウスからの光信号により他の機器を制御すること
が可能になる。プラグはマウスケースに一体化され、マウスケースは本機に対して回動自
在になっているので、ＡＶマウスの発光素子からの光信号が他の機器の受光部に届くよう
に、マウスケースを回動させて光信号の向きを調整することができる。更に、マウスケー
スは反射面を有するので、光信号の一部を反射させて、他の機器の受光部に光信号が届き
易くしている。
【００１８】
したがって、この構成によれば、ケーブルを使用せずに本機と接続することが可能で、
光信号が他の機器に届くように適切な位置に容易に設定できるＡＶマウスを提供すること
ができる。
【００１９】
請求項２の発明は、マウスケースの所定面に設けられ光信号を出射する発光素子を有し
、本機と連動して他の機器を制御できるように他の機器のリモコンコードに合わせた光信
号を他の機器の受光部に送信するＡＶマウスにおいて、前記本機のジャックと電気的に接
続され前記本機に対して回動自在なプラグを前記マウスケースと一体化すると共に、前記
発光素子から出射された光信号の一部を所望角度反射させることができる可変反射面を有
する反射部を、前記マウスケースに対して所定角度回動自在になるように前記マウスケー
スに取り付けたことを特徴とするＡＶマウスを提供する。
【００２０】
この構成において、ＡＶマウスのプラグを本機のジャックに接続すると、本機とＡＶマ
ウスが電気的に接続され、本機はＡＶマウスからの光信号により他の機器を制御すること
が可能になる。プラグはマウスケースに一体化され、マウスケースは本機に対して回動自
在になっているので、ＡＶマウスの発光素子からの光信号が他の機器の受光部に届くよう
に、マウスケースを回動させて光信号の向きを調整することができる。更に、マウスケー
スは可変反射面を有するので、光信号の一部を反射させて、他の機器の受光部に光信号が
届き易くし、また、この可変反射面はマウスケースに対して所定角度回動できるので、光
信号の向きの調整範囲が広がり、光信号を他の機器の受光部に更に届き易くできる。
【００２１】
したがって、この構成によれば、ケーブルを使用せずに本機と接続することが可能で、
光信号が他の機器に届くように適切な位置に容易に設定できるＡＶマウスを提供すること
ができる。
【００２２】
請求項３の発明は、マウスケースの所定面に設けられ光信号を出射する発光素子を有し
、本機と連動して他の機器を制御できるように他の機器のリモコンコードに合わせた光信
号を他の機器の受光部に送信するＡＶマウスにおいて、前記本機のジャックと電気的に接
続され前記本機に対して回動自在なプラグを前記マウスケースと一体化したことを特徴と
するＡＶマウスを提供する。
【００２３】
この構成において、ＡＶマウスのプラグを本機のジャックに接続すると、本機とＡＶマ
ウスが電気的に接続され、本機はＡＶマウスからの光信号により他の機器を制御すること
が可能になる。プラグはマウスケースに一体化され、マウスケースは本機に対して回動自
在になっているので、ＡＶマウスの発光素子からの光信号が他の機器の受光部に届くよう
に、マウスケースを回動させて光信号の向きを調整することができる。
【００２４】
したがって、この構成によれば、ケーブルを使用せずに本機と接続することが可能で、
光信号が他の機器に届くように適切な位置に容易に設定できるＡＶマウスを提供すること
ができる。
【００２５】
請求項４の発明では、請求項３の発明において、前記発光素子から出射された光信号の
一部を所定角度反射させる反射面を有するような形状に前記マウスケースを形成したので
、光信号の一部を反射させて、他の機器の受光部に光信号が届き易くすることができる。
【００２６】
請求項５の発明では、請求項３の発明において、前記発光素子から出射された光信号の
一部を所望角度反射させることができる可変反射面を有する反射部を、前記マウスケース
に対して所定角度回動自在になるように前記マウスケースに取り付けたので、光信号の一
部を反射させて、他の機器の受光部に光信号が届き易くし、また、この可変反射面はマウ
スケースに対して所定角度回動できるので、光信号の向きの調整範囲が広がり、光信号を
他の機器の受光部に更に届き易くできる。
【発明の効果】
【００２７】
以上のように本発明によれば、ＡＶマウスのプラグを本機のジャックに接続すると、本
機とＡＶマウスが電気的に接続され、本機はＡＶマウスからの光信号により他の機器を制
御することが可能になる。プラグはマウスケースに一体化され、マウスケースは本機に対
して回動自在になっているので、ＡＶマウスの発光素子からの光信号が他の機器の受光部
に届くように、マウスケースを回動させて光信号の向きを調整することができる。マウス
ケースは反射面を有するので、光信号の一部を反射させて、他の機器の受光部に光信号が
届き易くし、また、可変反射面はマウスケースに対して所定角度回動できるので、光信号
の向きの調整範囲が広がり、光信号を他の機器の受光部に更に届き易くできる。したがっ
て、ケーブルを使用せずに本機と接続することが可能で、光信号が他の機器に届くように
適切な位置に容易に設定できるＡＶマウスを提供することができる。
【００２８】
このようなＡＶマウスを提供できることにより、ユーザがより簡単な操作で既存のＶＴ
ＲやＤＶＤレコーダでタイマ録画を行うことができる。また、市販されているＡＶマウス
対応機器は、従来ではケーブル付きマウスを接続し、最良なマウスの位置を探る必要があ
り、また、両面テープなどで本機や他の機器に固定する必要があるが、このような作業が
不要になる。また、両面テープなどでＡＶマウスを固定した場合、外因による位置ズレが
生じることもあるが、本発明のＡＶマウスでは、プラグがマウスケースに一体化されてい
るので、外因による位置ズレが生じることがない。
【発明を実施するための最良の形態】
【００２９】
以下、添付図面を参照しつつ、本発明の実施の形態について説明する。図１は本発明の
第１の実施形態に係るＡＶマウスの概略的な構成を示す斜視図である。図１において、Ａ
Ｖマウス１は、図示しない回路を収納したマウスケース２と、このマウスケース２の下面
に設けられ赤外線の光信号を出射する発光素子としてのＬＥＤ３と、マウスケース２の一
方の端部が所定角度折れ曲がり前記ＬＥＤ３から出射された光信号の一部を所定角度反射
させる反射面４と、マウスケース２の他方の端部に設けられマウスケース２と一体化され
たプラグ５とを備えている。
【００３０】
ＡＶマウス１は、例えば、ケーブルの無い小型マイクのような形状であり、プラグ４を
本機の前面に設けられているジャックに差し込んだときに、ＬＥＤ３が本機の前面より突
き出るような状態になるような形状になっている。全般的に録画機器のリモコン受光部は
録画機器前面の右側にあるものが多いので、この場合は、ＡＶマウス１は本機の前面の右
側に配置されるが、これに限ることはない。
【００３１】
また、他の機器の受光部が特別に内部にめり込んだような機構でない限り、他の機器が
通常配置される近距離であれば、ＡＶマウス１のＬＥＤ３を他の機器の受光部方向になる
ようにマウスケース２を、プラグ５を中心として回動させることにより、他の機器はＡＶ
マウス１からの光信号を受信することが可能になる。ＡＶマウス１からの光信号の他の機
器への受信を確実にさせるＡＶマウス１の構造として、マウスケース２の下面から突き出
たＬＥＤ３を有し、このＬＥＤ３の近傍の左右、上下の何れかまたは全ての箇所に、光信
号を他の機器の受光部に効率良く供給することができるような形状にしている。
【００３２】
図２は本発明の第２の実施形態に係るＡＶマウスの概略的な構成を示す斜視図である。
図２において、ＡＶマウス１１は、図示しない回路を収納したマウスケース１２と、この
マウスケース１２の下面に設けられ赤外線の光信号を出射する発光素子としてのＬＥＤ１
３と、マウスケース１２の一方の端部が所定角度折れ曲がり前記ＬＥＤ３から出射された
光信号の一部を所定角度反射させる可変反射面１４を有する反射部１７と、マウスケース
１２の他方の端部に設けられマウスケース１２と一体化されたプラグ１５とを備えている
。前記反射部１７は、ネジ１６によってマウスケース１２の一部に所定角度回動自在で支
持され、可変反射面１４を適切な角度に設定した後、ネジ１６を締めることによって、反
射部１７がマウスケース１２に対して固定される。
【００３３】
図３は第１または第２の実施形態のＡＶマウスを使用した場合の本機としてのＤＶＤレ
コーダと他の機器としてのＶＴＲとが２段重ねに置かれた状態を示す概略的斜視図である
。図３において、３１は本機としてのＤＶＤレコーダを示し、この前面にはＡＶマウス１
のプラグ５またはＡＶマウス１１のプラグ１５を差し込みＤＶＤレコーダ３１と電気的に
接続するためのジャック３２が設けられている。３３は他の機器としてのＶＴＲを示し、
この前面にはＡＶマウス１，１１や図示しないリモコンからの光信号を受光する受光部３
４が設けられている。
【００３４】
このようにＶＴＲ３３の上にＤＶＤレコーダ３１を重ね、ＤＶＤレコーダ３１側からＶ
ＴＲ３３を制御する場合で、ＡＶマウス１を用いたときは、ＡＶマウス１のプラグ５をＶ
ＴＲ３３のジャック３２に差し込み、ＶＴＲ３３のリモコンコードに合わせた光信号を出
射するようにＡＶマウス１に対してリモコンコードを設定し、ＡＶマウス１のＬＥＤ３か
ら出射された光信号がＶＴＲ３３の受光部３４に届くように、ＡＶマウス１のプラグ５を
中心としてＡＶマウス１を回動させて最も適切な位置に設定する。
【００３５】
このＡＶマウス１によれば、プラグ５はマウスケース２に一体化され、マウスケース２
はＤＶＤレコーダ３１に対して回動自在になっているので、ＡＶマウス１の発光素子３か
らの光信号がＶＴＲ３３の受光部３４に届くように、マウスケース２を回動させて光信号
の向きを調整することができる。更に、マウスケース２は反射面４を有するので、光信号
の一部を反射させて、ＶＴＲ３３の受光部３４に光信号が届き易くしている。
【００３６】
したがって、この第１の実施形態によれば、ケーブルを使用せずにＤＶＤレコーダ３１
と接続することが可能で、光信号がＶＴＲ３３の受光部３４に届くように適切な位置に容
易に設定できるＡＶマウス１を提供することができる。
【００３７】
同じく、ＶＴＲ３３の上にＤＶＤレコーダ３１を重ね、ＤＶＤレコーダ３１側からＶＴ
Ｒ３３を制御する場合で、ＡＶマウス１１を用いたときは、ＡＶマウス１１のプラグ１５
をＶＴＲ３３のジャック３２に差し込み、ＶＴＲ３３のリモコンコードに合わせた光信号
を出射するようにＡＶマウス１１に対してリモコンコードを設定し、ＡＶマウス１１のＬ
ＥＤ１３から出射された光信号がＶＴＲ３３の受光部３４に届くように、ＡＶマウス１１
のプラグ１５を中心としてＡＶマウス１１を回動させて最も適切な位置に設定する。
【００３８】
このＡＶマウス１１によれば、プラグ１５はマウスケース１２に一体化され、マウスケ
ース１２はＤＶＤレコーダ３１に対して回動自在になっているので、ＡＶマウス１１の発
光素子１３からの光信号がＶＴＲ３３の受光部３４に届くように、マウスケース１２を回
動させて光信号の向きを調整することができる。更に、マウスケース１２は可変反射面１
４を有するので、光信号の一部を反射させて、ＶＴＲ３３の受光部３４に光信号が届き易
くし、また、この可変反射面１４はマウスケース１２に対して所定角度回動できるので、
光信号の向きの調整範囲が広がり、光信号をＶＴＲ３３の受光部３４に更に届き易くでき
る。
【００３９】
したがって、この第２の実施形態によれば、ケーブルを使用せずにＤＶＤレコーダ３１
と接続することが可能で、光信号がＶＴＲ３３の受光部３４に届くように適切な位置に容
易に設定できるＡＶマウス１１を提供することができる。
【００４０】
なお、以上説明した実施形態では、本機としてはＤＶＤレコーダを、他の機器としては
ＶＴＲを例に挙げて説明したが、これに限らず、本機としては、ＡＶマウス機能が付いて
いるテレビ受信機や録画機器などであっても良く、また、他の機器としては、ＶＴＲ以外
の録画機器であっても良い。
【図面の簡単な説明】
【００４１】
【図１】本発明の一実施形態に係るＡＶマウスの構成を示すブロック図である。
【図２】本発明の第２の実施形態に係るＡＶマウスの概略的な構成を示す斜視図である。
【図３】第１または第２の実施形態のＡＶマウスを使用した場合の本機としてのＤＶＤレコーダと他の機器としてのＶＴＲとが２段重ねに置かれた状態を示す概略的斜視図である。
【図４】従来のＡＶマウスの概略的な構成を示す斜視図である。
【図５】従来のＡＶマウスを使用する場合の本機としてのＤＶＤレコーダと他の機器としてのＶＴＲとが２段重ねに置かれた状態を示す概略的斜視図である。
【符号の説明】
【００４２】
１，１１    ＡＶマウス
２，１２    マウスケース
３，１３    ＬＥＤ（発光素子）
４    反射面
５，１５    プラグ
１４    可変反射面
１７    反射部
３１    ＤＶＤレコーダ（本機）
３２    ジャック
３３    ＶＴＲ（他の機器）
３４    受光部
【図１】
2005260563.tif 000003
【図２】
2005260563.tif 000004
【図３】
2005260563.tif 000005
【図４】
2005260563.tif 000006
【図５】
2005260563.tif 000007